(57)【要約】【課題】洗浄力の低下を抑制する洗車機を提供する。【解決手段】被洗浄車両ＣＡに対して前後に相対移動する洗車機本体１と、洗車機本体１に設けられて被洗浄車両ＣＡの側面及び後面を洗浄するサイドブラシ５とを備えた洗車機ＷＡにおいて、サイドブラシ５が軸方向に並設される第１ブラシ部４０及び第２ブラシ部５０を有し、第１ブラシ部４０及び第２ブラシ部５０がそれぞれ回転軸を形成するシャフト４６、５６と、軸方向に平行な第１折曲部Ｋ１で折曲される複数のシート状のブラシ体４１、５１を周方向に並設して第１折曲部Ｋ１上で固定具３３によりシャフト４６の周面に固定したブラシ体４１、５１とを有し、第２ブラシ部５０よりも上方に配される第１ブラシ部４０のブラシ体４１の外周端が第２ブラシ部５０のブラシ体５１の外周端よりも外周側に配置されるとともに、第１ブラシ部４０のブラシ体４１がブラシ体４１の外周端を形成する長径部４４と、長径部４４に対向して外周端を長径部４４よりも内周側に配した短径部４３とを有する。【選択図】図６
2016022755.tif 000002
【特許請求の範囲】
【請求項１】
被洗浄車両に対して前後に相対移動する洗車機本体と、前記洗車機本体に設けられて被洗浄車両の側面及び後面を洗浄するサイドブラシとを備えた洗車機において、
前記サイドブラシが軸方向に並設される第１ブラシ部及び第２ブラシ部を有し、第１ブラシ部及び第２ブラシ部の回転軸を形成するシャフトと、軸方向に平行な第１折曲部で折曲される複数のシート状のブラシ体を周方向に並設して第１折曲部上で固定具により前記シャフトの周面に固定したブラシ体とを有し、
第２ブラシ部よりも上方に配される第１ブラシ部の前記ブラシ体の外周端が第２ブラシ部の前記ブラシ体の外周端よりも外周側に配置されるとともに、第１ブラシ部の前記ブラシ体が前記ブラシ体の外周端を形成する長径部と、前記長径部に対向して外周端を前記長径部よりも内周側に配した短径部とを有することを特徴とする洗車機。
【請求項２】
第１ブラシ部及び第２ブラシ部が独立に回転駆動されることを特徴とする請求項１に記載の洗車機。
【請求項３】
第１ブラシ部の前記ブラシ体が軸方向に垂直な第２折曲部で折曲して前記シャフト上で径方向に重ねられる外周部と内周部とを有するとともに、固定前の前記ブラシ体が第１折曲部と第２折曲部との交点に対して略点対称に形成され、第１折曲部に対して一方の前記外周部及び他方の前記内周部により前記長径部を形成して、第１折曲部に対して一方の前記内周部及び他方の前記外周部により前記短径部を形成したことを特徴とする請求項１又は２に記載の洗車機。
【請求項４】
第１ブラシ部の前記ブラシ体が軸方向に垂直な第２折曲部で折曲して前記シャフト上で径方向に重ねられる外周部と内周部とを有するとともに、固定前の前記ブラシ体が第１折曲部に対して略線対称に形成され、前記外周部及び前記内周部の一方により前記長径部を形成して、他方により前記短径部を形成したことを特徴とする請求項１又は２に記載の洗車機。
【請求項５】
第１ブラシ部の固定前の前記ブラシ体が矩形に形成されるとともに、前記ブラシ体の長手方向の中心に対して第１折曲部が偏って配され、前記ブラシ体の第１折曲部に対して一方が前記長径部を形成して他方が前記短径部を形成することを特徴とする請求項１又は２に記載の洗車機。
【請求項６】
前記短径部の外周端が第２ブラシ部の前記ブラシ体の外周端よりも外周側に配置されることを特徴とする請求項１〜５のいずれかに記載の洗車機。
【請求項７】
被洗浄車両の側面及び後面を洗浄する回転ブラシにおいて、
軸方向に並設される第１ブラシ部及び第２ブラシ部を備え、第１ブラシ部及び第２ブラシ部の回転軸を形成するシャフトと、軸方向に平行な第１折曲部で折曲される複数のシート状のブラシ体を周方向に並設して第１折曲部上で固定具により前記シャフトの周面に固定したブラシ体とを有し、
第２ブラシ部よりも上方に配される第１ブラシ部の前記ブラシ体の外周端が第２ブラシ部の前記ブラシ体の外周端よりも外周側に配置されるとともに、第１ブラシ部の前記ブラシ体が前記ブラシ体の外周端を形成する長径部と、前記長径部に対向して外周端を前記長径部よりも内周側に配した短径部とを有することを特徴とする回転ブラシ。
【発明の詳細な説明】
【技術分野】
【０００１】
本発明は、サイドブラシを備えた洗車機に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部及び乾燥部が設けられている。洗浄部は被洗浄車両の側面及び後面を洗浄するサイドブラシを備えている。サイドブラシは独立に回転駆動される同軸の第１ブラシ部及び第２ブラシ部を軸方向に並設している。第１ブラシ部は第２ブラシ部よりも上方に配され、第１ブラシ部及び第２ブラシ部はそれぞれシャフト及びブラシ体を有している。各シャフトは上下に延びて第１ブラシ部及び第２ブラシ部の回転軸を形成する。
【０００４】
ブラシ体はシャフトの周面に固定される発泡樹脂（スポンジ）や布等により形成されている。また、第１ブラシ部に設けられるブラシ体の直径は第２ブラシ部に設けられるブラシ体の直径よりも大きい。
【０００５】
乾燥部はサイド送風ノズル及びトップ送風ノズルを有している。サイド送風ノズルは左右のスタンド部のそれぞれに設けられ、被洗浄車両ＣＡの側面に向けて送風する。トップ送風ノズルは天井部に設けられ、被洗浄車両ＣＡの上面に向けて送風する。
【０００６】
上記構成の洗車機において、ユーザが洗車条件を設定すると、洗車機本体が被洗浄車両に対して前後方向に移動し、洗浄部による被洗浄車両の洗浄が開始される。サイドブラシにより被洗浄車両の側面を洗浄する際に、第１ブラシ部にドアミラー等の装備品が接触する場合がある。この時、第１ブラシ部のブラシ体の回転を減速又は停止し、第２ブラシ部のブラシ体を回転させて被洗浄車両の側面を洗浄する。これにより、装備品の破損を防止することができる。
【０００７】
また、サイドブラシにより被洗浄車両の後面を洗浄する際に、第１ブラシ部に設けられるブラシ体の直径が第２ブラシ部に設けられるブラシ体の直径よりも大きいため、被洗浄車両の傾斜した後面に第１ブラシ部が接触し、洗浄力を向上できる。また、洗浄部による洗浄に続き、乾燥部により空気を被洗浄車両に送風して被洗浄車両を乾燥させる。
【先行技術文献】
【特許文献】
【０００８】
【特許文献１】特開２００５−２６３２２３  号公報
【特許文献２】実公平１−３４６１５  号公報
【発明の概要】
【発明が解決しようとする課題】
【０００９】
しかしながら、上記従来の洗車機によると、サイドブラシが被洗浄車両の略鉛直な側面に接触して洗浄する際に、第１ブラシ部のブラシ体の直径は第２ブラシ部のブラシ体の直径よりも大きいため、第１ブラシ部に設けられるブラシ体は被洗浄車両に対して当たりが強くなる。このため、第１ブラシ部のブラシ体が反発して第１ブラシ部に設けられるブラシ体の先端が被洗浄車両から離れて洗浄力が低下するという問題があった。
【００１０】
本発明は、洗浄力を向上できる洗車機を提供することを目的とする。
【課題を解決するための手段】
【００１１】
上記目的を達成するために本発明は、被洗浄車両に対して前後に相対移動する洗車機本体と、前記洗車機本体に設けられて被洗浄車両の側面及び後面を洗浄するサイドブラシとを備えた洗車機において、前記サイドブラシが軸方向に並設される第１ブラシ部及び第２ブラシ部を有し、第１ブラシ部及び第２ブラシ部がそれぞれ回転軸を形成するシャフトと、軸方向に平行な第１折曲部で折曲される複数のシート状のブラシ体を周方向に並設して第１折曲部上で固定具により前記シャフトの周面に固定したブラシ体とを有し、第２ブラシ部よりも上方に配される第１ブラシ部の前記ブラシ体の外周端が第２ブラシ部の前記ブラシ体の外周端よりも外周側に配置されるとともに、第１ブラシ部の前記ブラシ体が前記ブラシ体の外周端を形成する長径部と、前記長径部に対向して外周端を前記長径部よりも内周側に配した短径部とを有することを特徴とする。
【００１２】
また、本発明は上記構成の洗車機において、第１ブラシ部の前記ブラシ体が軸方向に垂直な第２折曲部で折曲して前記シャフト上で径方向に重ねられる外周部と内周部とを有するとともに、固定前の前記ブラシ体が第１折曲部と第２折曲部との交点に対して略点対称に形成され、第１折曲部に対して一方の前記外周部及び他方の前記内周部により前記長径部を形成して、第１折曲部に対して一方の前記内周部及び他方の前記外周部により前記短径部を形成したことを特徴とする。
【００１３】
また、本発明は上記構成の洗車機において、第１ブラシ部の前記ブラシ体が軸方向に垂直な第２折曲部で折曲して前記シャフト上で径方向に重ねられる外周部と内周部とを有するとともに、固定前の前記ブラシ体が第１折曲部に対して略線対称に形成され、前記外周部及び前記内周部の一方により前記長径部を形成して、他方により前記短径部を形成したことを特徴とする。
【００１４】
また、本発明は上記構成の洗車機において、前記短径部の外周端が第２ブラシ部の前記ブラシ体の外周端よりも外周側に配置されることを特徴とする。
【００１５】
また、本発明は上記構成の洗車機において、第１ブラシ部の固定前の前記ブラシ体が矩形に形成されるとともに、前記ブラシ体の長手方向の中心に対して第１折曲部が偏って配され、前記ブラシ体の第１折曲部に対して一方が前記長径部を形成して他方が前記短径部を形成することを特徴とする。
【００１６】
また、上記目的を達成するために本発明は、被洗浄車両の側面及び後面を洗浄する回転ブラシにおいて、軸方向に並設される第１ブラシ部及び第２ブラシ部を備え、第１ブラシ部及び第２ブラシ部の回転軸を形成するシャフトと、軸方向に平行な第１折曲部で折曲される複数のシート状のブラシ体を周方向に並設して第１折曲部上で固定具により前記シャフトの周面に固定したブラシ体とを有し、第２ブラシ部よりも上方に配される第１ブラシ部の前記ブラシ体の外周端が第２ブラシ部の前記ブラシ体の外周端よりも外周側に配置されるとともに、第１ブラシ部の前記ブラシ体が前記ブラシ体の外周端を形成する長径部と、前記長径部に対向して外周端を前記長径部よりも内周側に配した短径部とを有することを特徴とする。
【発明の効果】
【００１７】
本発明によると、第２ブラシ部よりも上方に配される第１ブラシ部のブラシ体の外周端が第２ブラシ部のブラシ体の外周端よりも外周側に配置される。また、第１ブラシ部のブラシ体がブラシ体の外周端を形成する長径部と、長径部に対向して外周端を長径部よりも内周側に配した短径部とを有する。このため、第１ブラシ部のブラシ体のボリュームを減らすことができる。これにより、第１ブラシ部に設けられるブラシ体の被洗浄車両の側面等の略鉛直面に対する当たりを弱くし、洗浄力を向上できる。
【図面の簡単な説明】
【００１８】
【図１】本発明の第１実施形態の洗車機を示す側面図
【図２】本発明の第１実施形態の洗車機を示す正面図
【図３】本発明の第１実施形態の洗車機のサイドブラシを示す正面図
【図４】図３のＡ−Ａ線断面図
【図５】本発明の第１実施形態の洗車機のサイドブラシの上部を示す正面図
【図６】本発明の第１実施形態の洗車機のサイドブラシのブラシ体を展開した展開図
【図７】本発明の第２実施形態の洗車機のサイドブラシのブラシ体を展開した展開図
【図８】本発明の第３実施形態の洗車機のサイドブラシのブラシ体を展開した展開図
【発明を実施するための形態】
【００１９】
以下に本発明の実施形態を図面を参照して説明する。図１、図２は本発明の第１実施形態の洗車機ＷＡを示す側面図及び正面図である。洗車機ＷＡは洗車機本体１、レール２及びリモートパネル７Ａを備えている。洗車機本体１は左右の対向する２つのスタンド部９０と、スタンド部９０の上端を連結する天井部９１とを有した門型に形成される。
【００２０】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２１】
リモートパネル７Ａは洗車機本体１の進入経路ＳＴ上に配される。被洗浄車両ＣＡはリモートパネル７Ａの面前で停車し、ユーザは被洗浄車両ＣＡ内からリモートパネル７Ａの操作によって洗車条件の設定を行う。
【００２２】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２３】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２４】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２５】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。
【００２６】
洗車機本体１の一方のスタンド部９０の前面には操作パネル７が配される。操作パネル７は洗車条件を設定するリモートパネル７Ａと同様の操作ボタン（不図示）を備えている。
【００２７】
洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は天井部９１に設けられ、被洗浄車両ＣＡの上面に向けて送風する。サイド送風ノズル２２は洗車機本体１の両側部にそれぞれ設けられ、被洗浄車両ＣＡの側面に向けて送風する。
【００２８】
洗車機本体１には被洗浄車両ＣＡ上に摺動して駆動モータ（不図示）により回転してブラッシングするトップブラシ４、ロッカーブラシ６及びサイドブラシ５が設けられている。トップブラシ４は天井部９１に設けられ、被洗浄車両ＣＡの上面に沿って移動して被洗浄車両ＣＡの上面を洗浄する。ロッカーブラシ６は左右のスタンド部９０の下部に設けられ、被洗浄車両ＣＡの両側面の下部を洗浄する。サイドブラシ５は左右のスタンド部９０に設けられ。サイドブラシ５によって被洗浄車両ＣＡの前面、両側面及び後面が洗浄される。
【００２９】
図３は洗車機ＷＡのサイドブラシ５を示す正面図を示し、図４は図３のＡ−Ａ線断面図を示している。サイドブラシ５は軸方向に並設される第１ブラシ部４０及び第２ブラシ部５０を有している。第１ブラシ部４０はシャフト４６の周面に取り付けられるブラシ体４１を有している。ブラシ体４１は上下方向に複数段（本実施形態では５段）に配され、各段にそれぞれシャフト４６上の周方向に複数（本実施形態では８個）設けられる。各ブラシ体４１は後述するように軸方向に平行な第１折曲部Ｋ１（図６参照）上でリベット等の固定具３３により固定される。
【００３０】
第２ブラシ部５０はシャフト５６の周面に取り付けられるブラシ体５１及びブラシ体５２を有している。ブラシ体５１は上下方向に複数段（本実施形態では５段）に配され、ブラシ体５１よりも下方に配されるブラシ体５２も上下方向に複数段（本実施形態では２段）に配される。
【００３１】
ブラシ体４１と同様に、ブラシ体５１及びブラシ体５２は各段にそれぞれシャフト５６上の周方向に複数（本実施形態では８個）設けられる。また、ブラシ体４１と同様に各ブラシ体５１及び各ブラシ体５２は軸方向に平行な第１折曲部Ｋ１（図６参照）上でリベット等の固定具３３により固定される。
【００３２】
ブラシ体４１及びブラシ体５２の外周端はブラシ体５１の外周端よりも外側に配される。ブラシ体４１、ブラシ体５１及びブラシ体５２は後述するようにシート状に形成されるため、第１、第２ブラシ部４０、５０の回転停止時に先端が下方に垂れているが、回転すると遠心力によって径方向に広がる。
【００３３】
本実施形態では、第１、第２ブラシ部４０、５０の回転時のブラシ体４１の直径Ｄ１が９８０ｍｍ、ブラシ体５１の直径Ｄ３が９８０ｍｍ、ブラシ体５２の直径Ｄ４が８５０ｍｍに形成される。これにより、サイドブラシ５は上下方向の中央部の外径が小さい凹状に形成される。尚、ブラシ体４１、ブラシ体５１及びブラシ体５２の各段のピッチＤ２はそれぞれ１００ｍｍに形成される。また、シャフト４６の直径Ｄ８は６０ｍｍである。
【００３４】
サイドブラシ５の上方には駆動部２３が設けられている。図５はサイドブラシ５の上部を示す正面図である。駆動部２３は第１ブラシ部４０及び第２ブラシ部５０（図３参照）を回転駆動する。駆動部２３のハウジング２３ａ内にはモータ２４及びモータ２５が設けられている。
【００３５】
ハウジング２３ａ内には下面から金属製のシャフト４６及びシャフト５６が挿入される。シャフト４６は上下に延びて中空に形成され、第１ブラシ部４０の回転軸を形成する。シャフト５６はシャフト４６に挿通され、第１ブラシ部４０の下方に配した第２ブラシ部５０の回転軸を形成する。
【００３６】
モータ２４のモータ軸２４ａにはギヤ２６ａが連結される。ギヤ２６ａはシャフト４６の上端に設けたギヤ２６ｂに噛合する。モータ２５のモータ軸２５ａにはギヤ２７ａが連結される。ギヤ２７ａはシャフト５６の上端に設けたギヤ２７ｂに噛合する。これにより、モータ２４、２５の駆動によって同軸に配されたシャフト４６及びシャフト５６が回転し、第１ブラシ部４０及び第２ブラシ部５０が独立に回転駆動される。
【００３７】
図６は固定前の一のブラシ体４１を展開した展開図を示している。ブラシ体４１は発泡樹脂や布等によってシート状に形成され、長手方向の中央部の第１折曲部Ｋ１と短手方向の中央部の第２折曲部Ｋ２との交点Ｋ３に対して略点対称に形成される。ブラシ体４１は第２折曲部Ｋ２で折曲した後、第２折曲部Ｋ２を上にして第１折曲部Ｋ１上の貫通孔４８に固定具３３（図３参照）を挿通してシャフト４６（図３参照）に固定される。シャフト４６に固定されたブラシ体４１は第１折曲部Ｋ１上で折曲される。
【００３８】
第２折曲部Ｋ２で折曲してシャフト４６に固定したブラシ体４１はシャフト４６上で径方向に重なる。この時、第２折曲部Ｋ２に対して上方及び下方の一方がシャフト４６上で内周側に配される内周部６１（図４参照）を形成し、他方が外周側に配される外周部６０（図４参照）を形成する。
【００３９】
ブラシ体４１は長手方向の一端（図中、左端）で第２折曲部Ｋ２に対して上方が下方に対して突出し、他端（図中、右端）で第２折曲部Ｋ２に対して下方が上方に対して突出する。このため、第１折曲部Ｋ１及び第２折曲部Ｋ２を境界とした左上の領域Ｓ１及び右下の領域Ｓ４はシャフト４６上で径方向に長い長径部４４を形成する。長径部４４の外周端によってシャフト４６に固定されたブラシ体４１の外周端が形成される。また、第１折曲部Ｋ１及び第２折曲部Ｋ２を境界とした右上の領域Ｓ２及び左下の領域Ｓ３はシャフト４６上で長径部４４よりも径方向に短い短径部４３を形成する。
【００４０】
即ち、第２折曲部Ｋ２の上方を外周部６０（図４参照）として、第１折曲部Ｋ１に対して一方（左方）の外周部６０及び他方（右方）の内周部６１により長径部４４が形成される。また、第１折曲部Ｋ１に対して一方（左方）の内周部６１及び他方（右方）の外周部６０により短径部４３が形成される。短径部４３を設けることにより、第１ブラシ部４０のブラシ体４１の外周部６０のボリュームを抑えることができる。
【００４１】
尚、第２折曲部Ｋ２の下方を外周部６０（図４参照）とした場合も同様であり、第１折曲部Ｋ１に対して一方（右方）の外周部６０及び他方（左方）の内周部６１により長径部４４が形成される。また、第１折曲部Ｋ１に対して一方（右方）の内周部６１及び他方（左方）の外周部６０により短径部４３が形成される。
【００４２】
本実施形態では長径部４４と短径部４３との径方向長さの差Ｄ１１は３０ｍｍに形成される。ブラシ体４１の長手方向の長さＤ１０は９２０ｍｍ、短手方向の長さＤ１２は２００ｍｍである。
【００４３】
また、短径部４３の外周端は第２ブラシ部５０のブラシ体５１の外周端よりも外周側に配置されている。なお、短径部４３の外周端がブラシ体５１の外周端とブラシ体４１の間に配されていれば、短径部４３の外周端の形状が波形状や、スリット４７に対して垂直ではなく傾斜した形状でもよい。
【００４４】
ブラシ体４１には外周端を開放した軸方向に垂直な複数のスリット４２が形成される。スリット４２はブラシ体４１の外周端から孔部４２ａまで延びて形成される。本実施形態ではスリット４２は２０５ｍｍに形成されている。スリット４２の内周端には円形の孔部４２ａが設けられている。孔部４２ａによってスリット４２の内周端に加わる力を分散し、スリット４２が裂けることを防止する。
【００４５】
スリット４７はブラシ体４１の外周端にスリット４２よりも小さく設けられている。スリット４７は隣接するスリット４２の間に８０ｍｍの大きさで形成されている。これにより、被洗浄車両ＣＡ（図１参照）に接触するブラシ体４１の外周端を柔軟に形成し、被洗浄車両ＣＡの傷を防止することができる。
【００４６】
また、シャフト５６に固定前のブラシ体５１、５２はブラシ体４１と同様の素材によりシート状に形成される。ブラシ体５１、５２は矩形に形成され、ブラシ体４１と同様にスリット４２、４７や貫通孔４８を有している。そして、ブラシ体５１、５２は短手方向の中央部の第２折曲部Ｋ２で折曲した後、長手方向の中央部の第１折曲部Ｋ１上でシャフト５６に固定される。ブラシ体５１、５２は矩形に形成されるため第１折曲部Ｋ１から両側方の外周端までが同じ長さになり、径方向の長さの異なる長径部４４及び短径部４３が形成されない。
【００４７】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。
【００４８】
洗車条件を設定した後、ユーザは所定の洗浄開始位置まで被洗浄車両ＣＡを移動させる。そして、洗車機本体１が前後向に移動して車両形状センサ８、９により被洗浄車両ＣＡの形状を検出し、トップブラシ４、サイドブラシ５及びロッカーブラシ６による洗浄が行われる。
【００４９】
この時、サイドブラシ５により被洗浄車両ＣＡの側面等の略鉛直面を洗浄する際に、第１ブラシ部４０に設けられるブラシ体４１のボリュームが少なくなっているので、被洗浄車両ＣＡに対する当たりを弱くしてブラシ体４１の反発を抑制する。これにより、サイドブラシ５の洗浄力の低下を低減することができる。
【００５０】
また、車両形状センサ８、９によりサイドブラシ５の第１ブラシ部４０が被洗浄車両ＣＡのドアミラー等を検知すると、装備品の領域では第１ブラシ部４０の回転を停止し、第２ブラシ部５０のみを回転させて被洗浄車両ＣＡの洗浄を行う。なお、第１ブラシ部４０を第２ブラシ部５０よりも減速して回転させてもよい。
【００５１】
また、洗車機本体１が移動して被洗浄車両ＣＡの後面を洗浄する際に、被洗浄車両ＣＡの後面の上部ＣＡ１（図１参照）は第１ブラシ部４０によって洗浄し、下部ＣＡ２（図１参照）は第２ブラシ部５０により洗浄する。この時、被洗浄車両ＣＡの後面の上部ＣＡ１は傾斜しているが、第１ブラシ部４０のブラシ体４１の外周端が第２ブラシ部５０のブラシ体４１の外周端よりも外周側に配置されるため、被洗浄車両ＣＡの後面全体を洗浄できる。
【００５２】
トップブラシ４、サイドブラシ５及びロッカーブラシ６による洗浄に続き、サイド送風ノズル２２及びトップ送風ノズル２１による乾燥がおこなわれて洗車が終了する。
【００５３】
本実施形態によると、第２ブラシ部５０よりも上方に配される第１ブラシ部４０のブラシ体４１の外周端が第２ブラシ部５０のブラシ体５１の外周端よりも外周側に配置されるとともに、第１ブラシ部４０のブラシ体４１がブラシ体４１の外周端を形成する長径部４４と、長径部４４に対向して外周端を長径部４４よりも内周側に配した短径部４３とを有する。これにより、第１ブラシ部４０に設けられるブラシ体４１の被洗浄車両ＣＡの側面等の垂直面に対する当たりを弱くし、洗浄力を向上できる。
【００５４】
また、第１ブラシ部４０及び第２ブラシ部５０が独立に回転駆動されるため、装備品に接触する一の回転ブラシの回転を停止し、他の回転ブラシを回転させることができる。これにより、装備品の損傷を防止することができる。
【００５５】
また、第１ブラシ部４０のブラシ体４１が軸方向に垂直な第２折曲部Ｋ２で折曲してシャフト４６上で径方向に重ねられる外周部６０と内周部６１とを有するとともに、固定前のブラシ体４１が第１折曲部Ｋ１及び第２折曲部Ｋ２の交点Ｋ３に対して略点対称に形成され、第１折曲部Ｋ１に対して一方の外周部６０及び他方の内周部６１により長径部４４を形成して、第１折曲部Ｋ１に対して一方の内周部６１及び他方の外周部６０により短径部４３を形成している。これにより、第１ブラシ部４０に設けられるブラシ体４１の被洗浄車両ＣＡの側面等の垂直面に対する当たりを弱くすることを容易に実現できる。
【００５６】
また、短径部４３の外周端が第２ブラシ部５０のブラシ体５１の外周端よりも外周側に配置されるため、サイドブラシ５の洗浄力をより向上できる。
【００５７】
また、本実施形態ではシャフト４６及びシャフト５６は独立回転駆動されたが、それぞれが共通のシャフトにより形成してもよい。即ち、第１ブラシ部４０及び第２ブラシ部５０が一体となって回転駆動してもよい。これにより、洗車機ＷＡのコストを削減することができる。
【００５８】
＜第２実施形態＞
次に、図７は第２実施形態の洗車機ＷＡのサイドブラシ５のブラシ体４１を展開した展開図を示している。説明の便宜上、前述の図１〜図６に示す第１実施形態と同様の部分には同一の符号を付している。本実施形態は固定前のブラシ体４１の形状が異なっている。その他の部分は第１実施形態と同様である。
【００５９】
固定前のブラシ体４１が第１折曲部Ｋ１対して略線対称に形成され、外周部６０及び内周部６１の図では上方により長径部４４を形成して、下方により短径部４３を形成している。
【００６０】
即ち、ブラシ体４１は長手方向の上側の両端（図中、左右端）で第２折曲部Ｋ２に対して上方が下方に対して突出している。このため、第２折曲部Ｋ２を境界とした左右上の領域Ｓ１及び領域Ｓ２はシャフト４６上で径方向に長い長径部４４を形成する。また、第２折曲部Ｋ２を境界とした左下の領域Ｓ３及び右下の領域Ｓ４はシャフト４６上で長径部４４よりも径方向に短い短径部４３を形成する。
【００６１】
本実施形態によると、第１実施形態と同様の効果を奏することができる。
【００６２】
＜第３実施形態＞
次に、図８は第３実施形態の洗車機ＷＡのサイドブラシ５のブラシ体４１を展開した展開図を示している。説明の便宜上、前述の図１〜図６に示す第１実施形態と同様の部分には同一の符号を付している。本実施形態は固定前のブラシ体４１の形状が異なっている。その他の部分は第１実施形態と同様である。
【００６３】
固定前のブラシ体４１が矩形に形成されるとともに、ブラシ体４１の長手方向の中心に対して第１折曲部Ｋ１が偏って配されている。また、ブラシ体４１の第１折曲部Ｋ１に対して図中右側が長径部４４を形成して左側が短径部４３を形成している。長径部４４の距離Ｄ１６は４６０ｍｍで形成され、短径部４３の距離Ｄ１５は４３０ｍｍで形成されている。
【００６４】
即ち、第１折曲部Ｋ１を境界とした右側の領域Ｓ２及び領域Ｓ４はシャフト４６上で短径部４３よりも径方向に長い長径部４４を形成する。また、第１折曲部Ｋ１を境界とした左側の領域Ｓ１及び領域Ｓ３はシャフト４６上で長径部４４よりも径方向に短い短径部４３を形成する。
【００６５】
本実施形態によると、第１実施形態と同様の効果を奏することができるとともに、ブラシ体４１を容易に作成することができる。
【産業上の利用可能性】
【００６６】
本発明によると、サイドブラシを備えた洗車機に利用することができる。
【符号の説明】
【００６７】
１    洗車機本体
２    レール
３    車輪
４    トップブラシ
５    サイドブラシ（回転ブラシ）
６    ロッカーブラシ
２３    駆動部
２３ａ  ハウジング
２４、２５    モータ
２４ａ、２５ａ  モータ軸
２６ａ、２６ｂ、２７ａ、２７ｂ  ギヤ
３０    タンク収納部
３１    分配配管部
３３    固定具
４０    第１ブラシ部
４１    ブラシ体
４２    スリット
４２ａ  孔部
４３    短径部
４４    長径部
４６    シャフト（回転軸）
４７    スリット
４８    貫通孔
５０    第２ブラシ部
５１    ブラシ体
５２    ブラシ体
５６    シャフト（回転軸）
６０    外周部
６１    内周部
９０    スタンド部
９１    天井部
ＣＡ    被洗浄車両
Ｋ１    第１折曲部
Ｋ２    第２折曲部
Ｋ３    交点
ＳＴ      進入経路
ＷＡ    洗車機
【図１】
2016022755.tif 000003
【図２】
2016022755.tif 000004
【図３】
2016022755.tif 000005
【図４】
2016022755.tif 000006
【図５】
2016022755.tif 000007
【図６】
2016022755.tif 000008
【図７】
2016022755.tif 000009
【図８】
2016022755.tif 000010